(57)【要約】      （修正有）【課題】不要品とされるキャップを再利用し、様々なデザインを取り入れることができるキャップ利用健康用具を提供する。【解決手段】柔軟性のある合成樹脂の板状物の人体に接する部分に、合成樹脂のキャップ状構造物を複数個固定する。これをサンダル靴などの履き物の人体に接する部分の表面、裏面の双方又はいずれか一方に、もしくは、シートマットの表面、裏面の双方または一方にとりつける。【選択図】図３
0003171564.tif 000002
【実用新案登録請求の範囲】
【請求項１】
市販の飲料ペットボトルの使用済みキャップ（円形カップ状）共通サイズ直径３０ミリ、高さ１５ミリ限定にして、キャップ設置穴と穴の上下と左右各間隔の距離は５ミリずつ、上記条件で履物、サンダルを再生合成樹脂から成型され、靴ぞこの高さは３０ミリ穴を設けて、健康用具使用上のため、履物、サンダル本体設計上には、内部機能がキャップ両面簡単で取り付けられる工夫と自由に取り替えられるカッチン固定装置によって個別必要な健康メニューを持つようにしたことが特徴とするキャップ利用健康用具。
【請求項２】
前記キャップ上の表面（つるつる円形状）と下の裏面（ざらざら凹形状）キャップが最適している位置に両面使用可能が健康用具の基本発想であり、さらに、予防、治療のため、キャップ下の裏面（凹形カップ状）が履物、サンダルの上部面にして、その円形カップになっている枠内に中身入り医療グッズが必要で、ポイント１、天然素材（コルク、水晶、宝石）と産業再生原料（スチロール、ゴム、メタクリル）など素材応用、ポイント２、形態効果の構造物を設け、上記の構造物の突起部分をキャップ（凹形カップ状）の高さ、１５ミリより飛びだしていることも重要で、医学を行う予防や治療には医
0003171564.tif 000003
いうように不随意の反射という生理現象で体のバランスを取れて、（自然治癒力）を高めることも特徴とするキャップ利用健康用具。
【請求項３】
キャップ利用健康用具シート、マットについて、基本健康ペースは請求項１と請求項２のような特徴と機能も設けてあり、その再生合成樹脂原料から成型された、シートの場合はキャップ利用設置穴と穴の上下と左右各間隔の距離は６ミリずつにしてあり、マットの場合はキャップ利用設置穴と穴の上下と左右各間隔の距離は３ミリずつで、そのうえ用途の効果ため、本体の抗圧力と弾力度は製造工程合成樹脂の成分比率のもとに調整し、キャップ利用の役割はサンダルと同じ条件と内容にして、簡単で取り付けとカッチン固定構造で、自由に組み合せられるが特点、その以外、様々厚み、サイズ、デザインを取り入れによって多用途とする、キャップ利用健康用具の関連実用商品として、キャップ利用健康シートとキャップ利用健康マットが実現をした。
【考案の詳細な説明】
【技術分野】
【０００１】  本考案は市販の飲料用ペットボトルの使用済み、キャップ従来の形状の上の表面と下の裏面、それと、相性の良い産業再生プラスチック系原料＋植物性成分を開発した合成樹脂のもとに、履物、シート、マットなどの本体の枠内に埋め込みや取り付けた用具がキャップ再利用健康用具に関するものである。
【背景技術】
【０００２】  この種の飲料ボトルのキャップとしては代表的なものとして携帯式のペットボトルがあり、ペットボトルは飲料水、テイー、ジュースなどが入っているものが多数市販されている。
【考案の概要】
【考案が解決しようとする課題】
【０００３】  本考案の解決しようとする問題は市販の飲料用ペットボトルの中身がなくなると、同時にそのキャップの役割もなくなる。ゴミとして処理されたりせず、環境に優しい使い方ができないかというのが本考案の原点である。そこで、従来のキャップの形にカットや加工、新技術をプラスさせることで、新しいキャップの機能と履物やシートやマットなど本体の機能を一体化することより、不要品キャップ再利用健康用具が可能になり前述の欠点を解決しようとするものである。
【課題を解決するための手段】
【０００４】  請求項１の考案は、市販の飲料ペットボトルのキャップの特性と特徴をうまく活かし、上下、表裏、または、枠内外の材質や色合いの自然さ、カットを使い分けることで、キャップに多種類の新たな命が吹き込まれる。さらに、キャップの裏面枠内（カップ）を簡単にとりかえれ、健康グッズ、エコグッズ、ホビーグッズの自由な商品を作り上げることができる。健康的な効果だけでなく、子供から大人まで、制限なく好きに活用し楽しめるが形成されるようにしたことを特徴とする。【０００５】  請求項２の考案は、市販の飲料ペットボトルのキャップの裏面（カップ）に天然素材（コルク、原石、水晶）と産業再生原料（スチロール、ゴム、メタクリル）など素材を利用して、健康効果的のため、様々デザインを取り入れ、サイズも工夫したの上にキャップを合わせていくことで、キャップ裏面枠内を簡単にとりかえられるによって、血液循環や細胞活性化など人の毎日の健康にも大きな効果をもたす。本考案であるキャップ再利用には次の３つのテーマがある。経済的（万物を大切にする）、健康的（人類を大事にする）、効果的（地球をエコにする）。【０００６】  本考案現在の環境問題は、近代化した社会での裕富層と貧困層の格差がひとつの根本的原因と言える。特に独裁政治、軍国主義など新興国でこのような大問題が解決できていない。子供の小遣い程度で誰でも手に入れられる。キャップを使った健康用具本企画こそ、このような困難な現状にある地球を助けることが可能だ。キャップという小さなものを通し、我々が自然の中の人間であることを自覚する教育を推し進める必要がある。温室効果ガス排出量を削減するともに地球人全員がプレーできる活動が欠かせないとする。
【考案の効果】
【０００７】  上述の様に、本考案は、市販の飲料用ボトルのキャップは蓋として、飲料ボトルは中身がなくなると一つの役目を終えた、再生原料として、リサイクルされているが、地球環境が大きく変化し、危険な状態にある現在、改めて、自然の命と品物の命、原点に立ち戻る必要がある。本考案は人類の安心、地球の安全をテーマとし、キャップを生まれかえらせることで、再度商品実用化し、人々のエコに対する意識を高めることを目的とする。
【図面の簡単な説明】
【０００８】
【図１】本考案実施例に利用される、再生キャップの上下、表裏と中身入り斜視図である
【図２】飲料用ペットボトルとキャップの形にカット後の斜視図である
【図３】履物、サンダルにキャップを取り付けた状態を示す図である
【図４】履物にキャップを埋め込んだ状態を示す縦断側面図である
【図５】キャップ利用健康マット各種参考図である
【図６】キャップ利用健康シート各種参考図である
【考案を実施するための形態】
【０００９】  市販の飲料用ボトルの使用済み、キャップを利用企画構成のうえ、健康用具の本体に取り付けるにより、不要品とされているキャップの再利用が実現した。
【実施例１】
【００１０】  図３は請求項１の考案は、飲料用ペットボトルのキャップの特徴をある形態や素材を存分に活用して多目的な消耗グッズとして、使用できる工夫を視野に入れている。【００１１】  請求項２の考案では、飲料ペットボトルのキャップの裏面の枠内の中身入りの開発研究で、さまざまな分野と連携。ファッション用として、あるいは医学用（予防、治療、血液循環、細胞活性化など）として効果的な働きをさせるためには、デザイン上の位置、素材、形状の３点セットが重要な意味を持つ。
【実施例２】
【００１２】  本考案実施例図３がキャップを成型再生合成樹脂の履物、サンダルの枠内に簡単に取り付けて、自由にキャップ両面使用が可能になった。図３ａはキャップの裏面（カップ）がサンダルの上部面にセットをした場合は（キャップ健康サンダル）。図３ｂは、キャップの裏面（カップ）がサンダルの下部面セットにした場合は（キャップビーチサンダル）。上記実施例の通り、一足で多用途利用が得られる。
【実施例３】
【００１３】  本考案実施例図５がキャップ利用健康マットには、新素材、新技術をプラスさせて、様々な流行デザインを取り入れによって、図５ａ携帯用タイプ、図５ｂ壁飾りタイプ、図５ｃ座布団タイプなど実施例の通り、一枚で多目的有効利用が可能とする。
【実施例４】
【００１４】  本考案実施例図６がキャップ再利用健康シートは自然環境を守るために、キャップの特性をうまく活かし、上下、表裏、色合いの自然さ＋エコのノウハウをもとに構成し、キャップが簡単に取りかえられ、シートとして、図６ａキャップ利用バス用、図６ｂキャップ利用フローリング用。図６ｃキャップ利用いす用。図６ｄキャップ利用ベッド用など、健康シートのシリーズ提供しようとするものである。
【産業上の利用可能性】
【００１５】  本考案は飲料用ペットボトルの使用済みキャップに広く活用できる。
【符号の説明】
【００１６】１ａ．キャップの表面
１ｂ．キャップの裏面
１ｃ．キャップの裏面（カップ）中身入り
１ｄ．キャップのカップ用中身グッズ形状
２ａ．キャップのカット前
２ｂ．市販の飲料用ペットボトルのキャップ
２ｃ．キャップの裏面、中身入りの見本
２ｄ．キャップのカット後
３ａ．キャップのカップがサンダルの上部面
３ｂ．キャップのカップがサンダルの下部面
４ａ．キャップが履物に埋め込んだ上部面
４ｂ．キャップが履物に埋め込んだ下部面
５ａ．キャップ健康マット携帯用
５ｂ．キャップ健康マット壁飾り用
５ｃ．キャップ健康マット座布団用
６ａ．キャップ健康シートバス用
６ｂ．キャップ健康シートフローリング用
６ｃ．キャップ健康シートいす用
６ｄ．キャップ健康シートベッド用
１０．キャップ上の表面部（つるつる円形状）
２０．キャップ下の裏面部（ざらざら凹形状）
３０．キャップ下の裏面部（凹形カップ状）の枠内医療用（中身入り構造物）
【図１】
0003171564.tif 000004
【図２】
0003171564.tif 000005
【図３】
0003171564.tif 000006
【図４】
0003171564.tif 000007
【図５】
0003171564.tif 000008
【図６】
0003171564.tif 000009
【手続補正書】
【提出日】平成23年4月11日(2011.4.11)
【手続補正１】
【補正対象書類名】実用新案登録請求の範囲
【補正対象項目名】全文
【補正方法】変更
【補正の内容】
【実用新案登録請求の範囲】
【請求項１】
柔軟性のある合成樹脂の板状物の人体に接する部分に合成樹脂のキャップ状構造物を複数個固定した構造のキャップ利用健康用具
【請求項２】
サンダル靴などの履き物の人体に接する部分の表面、裏面の双方又はいずれか一方に柔軟性のある合成樹脂の板状物に合成樹脂のキャップ状構造物を複数個固定した構造物をとりつけた請求項１記載のキャップ利用健康用具。
【請求項３】
請求項１記載の健康用具をシートマットの表面、裏面の双方または一方にとりつけたキャップ利用健康用具。
【手続補正２】
【補正対象書類名】図面
【補正対象項目名】図２
【補正方法】削除
【補正の内容】
【手続補正書】
【提出日】平成23年9月8日(2011.9.8)
【手続補正１】
【補正対象書類名】手続補正書
【補正対象項目名】手続補正２
【補正方法】変更
【補正の内容】
【手続補正２】
【補正対象書類名】図面
【補正対象項目名】図２
【補正方法】変更
【補正の内容】
【図２】
0003171564.tif 000010